(57)【要約】【課題】  顧客が考案した新たな取引手法をプログラム化し、この新たなプログラムにより他の顧客を募集し、それにより得られる収入を考案した顧客に還元する。【解決手段】  ステップＳ１で新規発案手法の登録が行われ、ステップＳ２で売買プログラムの作成が行われる。さらにステップＳ３では、売買プログラムの作成がＯＫか否か判断され、ＯＫでない場合（Ｎｏ）はステップＳ４で手法の登録を行った顧客端末に修正が依頼されて再度ステップＳ２で売買プログラムの作成が行われる。また、ステップＳ３でＯＫとなった場合（Ｙｅｓ）には、ステップＳ５で作成された売買プログラムがプログラム（ＰＧ）保存データベースに保存される。また、ステップＳ６では、作成された売買プログラムを販売するか否か顧客端末に問合せが行われ、を販売するとき（Ｙｅｓ）は、ステップＳ７で作成された売買プログラムが商品情報データベースにコピーされる。【選択図】        図２
2006350455.tif 000002
【特許請求の範囲】
【請求項１】
情報の入出力手段を有する端末装置と各種市場の情報が記憶されている外部データベースとがネットワークを通じて接続されたサーバ装置を用いる市場取引支援システムであって、
前記サーバ装置には、
前記端末装置を所有する顧客の情報を蓄積した顧客情報蓄積手段と、
前記端末装置からの第１の前記顧客が考案した取引手法を登録する取引手法登録手段と、
前記登録された取引手法に従って作成された売買プログラムを保存する売買プログラム保存手段と、
前記保存された売買プログラムに関する情報を前記ネットワークを通じて提示して第２の前記顧客を募集する顧客募集手段と、
前記外部データベースから取り出される市場の情報を蓄積する市場情報蓄積手段と、
前記募集に呼応する前記端末装置からの前記第２の前記顧客による応募に基づいて前記市場情報蓄積手段から任意の期間の市場の情報を抽出し、前記抽出された市場の情報に基づいて前記売買プログラムに従った売買をシミュレートし、前記シミュレートされた売買の損益結果からトラックレコードを作成し、前記作成されたトラックレコードを前記第２の前記顧客の前記端末装置に送信する演算処理及び送信手段と、
前記端末装置からの前記第２の前記顧客による応募に対する課金を行う課金手段と、
前記課金による収入を前記第１の前記顧客に送金する送金手段と
が設けられることを特徴とする市場取引支援システム。
【請求項２】
情報の入出力手段を有する端末装置と各種市場の情報が記憶されている外部データベースとがネットワークを通じて接続される市場取引支援装置であって、
前記ネットワークを通じて接続される端末装置を所有する顧客の情報を蓄積した顧客情報蓄積手段と前記ネットワークを通じて接続される前記外部データベースから取り出される市場の情報を蓄積する市場情報蓄積手段とが設けられ、
前記端末装置からの第１の前記顧客が考案した取引手法を登録する取引手法登録手段と、
前記登録された取引手法に従って作成された売買プログラムを保存する売買プログラム保存手段と、
前記保存された売買プログラムに関する情報を前記ネットワークを通じて提示して第２の前記顧客を募集する顧客募集手段と、
前記募集に呼応する前記端末装置からの前記第２の前記顧客による応募に基づいて前記市場情報蓄積手段から任意の期間の市場の情報を抽出し、前記抽出された市場の情報に基づいて前記売買プログラムに従った売買をシミュレートし、前記シミュレートされた売買の損益結果からトラックレコードを作成し、前記作成されたトラックレコードを前記第２の前記顧客の前記端末装置に送信する演算処理及び送信手段と、
前記端末装置からの前記第２の前記顧客による応募に対する課金を行う課金手段と、
前記課金による収入を前記第１の前記顧客に送金する送金手段と
を有することを特徴とする市場取引支援装置。
【請求項３】
情報の入出力手段を有する端末装置と各種市場の情報が記憶されている外部データベースとサーバ装置とがネットワークを通じて接続されたシステムに適用される市場取引支援方法であって、
前記端末装置からの第１の顧客が考案した取引手法を登録する手順と、
前記登録された取引手法に従って作成された売買プログラムを保存する手順と、
前記保存された売買プログラムに関する情報を前記ネットワークを通じて提示して第２の顧客を募集する手順と、
前記募集に呼応する前記端末装置からの前記第２の顧客による応募に基づいて前記外部データベースから任意の期間の市場の情報を抽出し、前記抽出された市場の情報に基づいて前記売買プログラムに従った売買をシミュレートし、前記シミュレートされた売買の損益結果からトラックレコードを作成し、前記作成されたトラックレコードを前記第２の顧客の前記端末装置に送信する手順と、
前記端末装置からの前記第２の顧客による応募に対する課金を行う手順と、
前記課金による収入を前記第１の顧客に送金する手順と
を有することを特徴とする市場取引支援方法。
【請求項４】
情報の入出力手段を有する端末装置と各種市場の情報が記憶されている外部データベースとがネットワークを通じてサーバ装置に接続されたシステムに用いられる市場取引支援プログラムであって、
前記端末装置からの第１の顧客が考案した取引手法を登録する機能と、
前記登録された取引手法に従って作成された売買プログラムを保存する機能と、
前記保存された売買プログラムに関する情報を前記ネットワークを通じて提示して第２の顧客を募集する機能と、
前記募集に呼応する前記端末装置からの前記第２の顧客による応募に基づいて前記外部データベースから任意の期間の市場の情報を抽出し、前記抽出された市場の情報に基づいて前記売買プログラムに従った売買をシミュレートし、前記シミュレートされた売買の損益結果からトラックレコードを作成し、前記作成されたトラックレコードを前記第２の顧客の前記端末装置に送信する機能と、
前記端末装置からの前記第２の顧客による応募に対する課金を行う機能と、
前記課金による収入を前記第１の顧客に送金する機能と
を前記サーバ装置で実現させるようにした市場取引支援プログラム。
【発明の詳細な説明】
【技術分野】
【０００１】
本発明は、例えば投資情報の提供に使用して好適な市場取引支援システム、装置、方法及びプログラムに関する。詳しくは、一の顧客が考案した取引手法による取引を可能にすると共に、この取引手法を他の顧客に利用させて、その利用に応じた課金を一の顧客に還元することができるようにするものである。
【背景技術】
【０００２】
従来の投資情報の提供では、予め定められた取引手法による商品（売買プログラム）を用いて、例えば複数の商品を用いて市場取引を行った場合の成功率などを比較した情報が提供されるようになっている（例えば、特許文献１参照。）。
【０００３】
すなわち従来の投資情報の提供では、予め定められた取引手法による商品（売買プログラム）のみが情報提供の対象となっているものであり、例えば顧客が考案した新たな取引手法などを活用する道は開かれていないものである。
【特許文献１】特開２００２−２４５２５２号公報
【発明の開示】
【発明が解決しようとする課題】
【０００４】
金融、物品などの市場取引を、インターネット等の情報通信ネットワークを用いて行うシステムが実用化されている。すなわち、このような金融、物品などの市場取引は、一般の人にも公開されているものである。しかしながら、現実には、そのようなシステムを用いて一般の人が直接投資を行うことには、多くのリスクが存在し、また常に市場の動きを監視していなければならないなど、いろいろな困難が存在する。そこでそのような取引について、任意の方針に従って売買を代行し、利潤を分配する商品が販売されている。
【０００５】
このような商品は、例えば投資会社によって販売されるものであり、それぞれの会社の独自の方針に従って、金融、物品などの市場での売買が行われてその利潤が分配される。しかしながらこのような各会社に独自の売買等の方針は複雑なものであり、一般の人には容易に理解できるものではない。このため従来は、投資会社そのものの信頼性などで商品の購入が決定されているものであり、これでは購入者の意図が充分に反映されているとは言えないものであった。
【０００６】
そこでこれらの商品の投資情報を、一般の人の解り易く提供するための市場取引支援システム、装置、方法及びプログラムが提案されている。すなわち、上述の特許文献１に示された方法では、複数の取引対象銘柄について、複数の指標に関する指標値を求めて更新し、前記指標値算出手段により更新された指標値に基づいて、指標別に、前記複数の各取引対象銘柄をランク付けして記憶し、記憶されている複数の銘柄の中から、ランクに基づいて特定の銘柄を抽出して、利用者に提示するようにしたものである。
【０００７】
ところが上述の特許文献１に示された方法では、投資会社などによって販売される既存の商品（売買プログラム）だけが対象とされたものであり、例えば顧客が独自に考案した取引手法等を上記のシステムに適用させることはできない。しかしながら既存の商品は、一般的に安全係数が比較的高く設定されたものであり、そのような商品では満足できない顧客も増えてきている。またそのような新しく考案された取引手法自体も、新たな商品となり得るものである。
【０００８】
この発明はこのような問題点に鑑みて成されたものであって、本発明の目的は、例えば一の顧客が考案した新たな取引手法をプログラム化して検証を行うと共に、この新たなプログラムにより他の顧客を募集し、それにより得られる収入を考案した顧客に還元する。これによって、一般顧客による市場取引を支援し、また市場取引の多様化を図ることで、市場取引の活性化をも推進するというものである。
【課題を解決するための手段】
【０００９】
上記の課題を解決し、本発明の目的を達成するため、請求項１に記載された発明は、情報の入出力手段を有する端末装置と各種市場の情報が記憶されている外部データベースとがネットワークを通じて接続されたサーバ装置を用いる市場取引支援システムであって、サーバ装置には、端末装置を所有する顧客の情報を蓄積した顧客情報蓄積手段と、端末装置からの第１の顧客が考案した取引手法を登録する取引手法登録手段と、登録された取引手法に従って作成された売買プログラムを保存する売買プログラム保存手段と、保存された売買プログラムに関する情報をネットワークを通じて提示して第２の顧客を募集する顧客募集手段と、外部データベースから取り出される市場の情報を蓄積する市場情報蓄積手段と、募集に呼応する端末装置からの第２の顧客による応募に基づいて市場情報蓄積手段から任意の期間の市場の情報を抽出し、抽出された市場の情報に基づいて売買プログラムに従った売買をシミュレートし、シミュレートされた売買の損益結果からトラックレコードを作成し、作成されたトラックレコードを第２の顧客の端末装置に送信する演算処理及び送信手段と、端末装置からの第２の顧客による応募に対する課金を行う課金手段と、課金による収入を第１の顧客に送金する送金手段とが設けられることを特徴とする市場取引支援システムである。
【００１０】
請求項２に記載された発明は、情報の入出力手段を有する端末装置と各種市場の情報が記憶されている外部データベースとがネットワークを通じて接続される市場取引支援装置であって、ネットワークを通じて接続される端末装置を所有する顧客の情報を蓄積した顧客情報蓄積手段とネットワークを通じて接続される外部データベースから取り出される市場の情報を蓄積する市場情報蓄積手段とが設けられ、端末装置からの第１の顧客が考案した取引手法を登録する取引手法登録手段と、登録された取引手法に従って作成された売買プログラムを保存する売買プログラム保存手段と、保存された売買プログラムに関する情報をネットワークを通じて提示して第２の顧客を募集する顧客募集手段と、募集に呼応する端末装置からの第２の顧客による応募に基づいて市場情報蓄積手段から任意の期間の市場の情報を抽出し、抽出された市場の情報に基づいて売買プログラムに従った売買をシミュレートし、シミュレートされた売買の損益結果からトラックレコードを作成し、作成されたトラックレコードを第２の顧客の端末装置に送信する演算処理及び送信手段と、端末装置からの第２の顧客による応募に対する課金を行う課金手段と、課金による収入を第１の顧客に送金する送金手段とを有することを特徴とする市場取引支援装置である。
【００１１】
請求項３に記載された発明は、情報の入出力手段を有する端末装置と各種市場の情報が記憶されている外部データベースとサーバ装置とがネットワークを通じて接続されたシステムに適用される市場取引支援方法であって、端末装置からの第１の顧客が考案した取引手法を登録する手順と、登録された取引手法に従って作成された売買プログラムを保存する手順と、保存された売買プログラムに関する情報をネットワークを通じて提示して第２の顧客を募集する手順と、募集に呼応する端末装置からの第２の顧客による応募に基づいて外部データベースから任意の期間の市場の情報を抽出し、抽出された市場の情報に基づいて売買プログラムに従った売買をシミュレートし、シミュレートされた売買の損益結果からトラックレコードを作成し、作成されたトラックレコードを第２の顧客の端末装置に送信する手順と、端末装置からの第２の顧客による応募に対する課金を行う手順と、課金による収入を第１の顧客に送金する手順とを有することを特徴とする市場取引支援方法である。
【００１２】
請求項４に記載された発明は、情報の入出力手段を有する端末装置と各種市場の情報が記憶されている外部データベースとがネットワークを通じてサーバ装置に接続されたシステムに用いられる市場取引支援プログラムであって、端末装置からの第１の顧客が考案した取引手法を登録する機能と、登録された取引手法に従って作成された売買プログラムを保存する機能と、保存された売買プログラムに関する情報をネットワークを通じて提示して第２の顧客を募集する機能と、募集に呼応する端末装置からの第２の顧客による応募に基づいて外部データベースから任意の期間の市場の情報を抽出し、抽出された市場の情報に基づいて売買プログラムに従った売買をシミュレートし、シミュレートされた売買の損益結果からトラックレコードを作成し、作成されたトラックレコードを第２の顧客の端末装置に送信する機能と、端末装置からの第２の顧客による応募に対する課金を行う機能と、課金による収入を第１の顧客に送金する機能とをサーバ装置で実現させるようにした市場取引支援プログラムである。
【発明の効果】
【００１３】
以上述べたように、本発明によれば、例えば一の顧客が考案した新たな取引手法をプログラム化して検証を行うと共に、この新たなプログラムにより他の顧客を募集し、それにより得られる収入を考案した顧客に還元することができる。これによって、一般顧客による市場取引を支援し、また市場取引の多様化を図ることで、市場取引の活性化をも推進するというものである。
【発明を実施するための最良の形態】
【００１４】
以下、図面を参照して本発明を説明するに、図１は本発明による市場取引支援システム、装置、方法及びプログラムを適用した市場取引支援システムの一実施形態の全体を示す構成図である。
【００１５】
図１は、例えばインターネットのような情報通信ネットワーク１００を通じて形成されるシステム全体の構成を示す。この情報通信ネットワーク１００に、顧客の所有する顧客端末装置２０１、２０２、２０３・・・と、各種市場、例えば金融市場におけるデータ供給会社等のサーバ３００が接続される。このサーバ３００は、特定の契約者等に対して市場における値動きのデータ等の保存された外部データベース（ＤＢ）３０１が検索可能とされているものである。
【００１６】
そしてこの情報通信ネットワーク１００に、本発明の根幹となるサーバ装置１を構成するウェブサーバ１１が接続される。このウェブサーバ１１には、さらにアプリケーションサーバ１２とデータベースサーバ１３が接続され、データベースサーバ１３には、顧客情報のデータベース２１、市場情報のデータベース２２、商品情報のデータベース２３が接続される。そしてこれらのデータベース２１〜２３に記憶されたデータと、アプリケーションサーバ１２に記憶された処理プログラムを用いて、後述する市場取引の支援情報の作成が行われる。
【００１７】
さらに上述のデータベースサーバ１３には、顧客が新規に考案した取引手法を登録する手法登録データベース２４と、この取引手法に従って作成された売買プログラムを保存するプログラム（ＰＧ）保存データベース２５と、顧客に対する課金や送金のデータを保存する課金送金データベース２６とが接続される。なお、課金送金データベース２６はさらに金融機関のサーバ４００に接続されて、例えば情報通信ネットワーク１００を通じて顧客端末装置２０１、２０２、２０３・・・に対する課金の請求や、他のルートを通じて送金が行われる。
【００１８】
また、上述のデータベースサーバ１３には、プログラマー端末２が接続されて、上述の手法登録データベース２４に登録された取引手法に従って売買プログラムの作成が行われる。そして作成された売買プログラムがプログラム（ＰＧ）保存データベース２５に保存される。なお、プログラマー端末２では、売買プログラムの作成と同時に、登録された取引手法と同種のものが過去に登録されていないか、あるいは登録された取引手法自体が有効なものであるか否かなどのチェックも行われる。
【００１９】
すなわち、このデータベースサーバ１３及びプログラマー端末２での売買プログラムの作成に当っては、例えば図２に示すフローチャートに従って処理が行われる。図２において、まずステップＳ１では、顧客端末装置２０１、２０２、２０３・・・のいずれかから新規発案手法の登録が行われる。そしてステップＳ２で、プログラマー端末２による売買プログラムの作成が行われる。ここでは上述したように、登録された取引手法と同種のものが過去に登録されていないか、あるいは登録された取引手法自体が有効なものであるか否かなどのチェックも行われる。
【００２０】
さらにステップＳ３では、売買プログラムの作成がＯＫか否か判断され、ＯＫでない場合（Ｎｏ）はステップＳ４で手法の登録を行った顧客端末に修正の依頼が行われる。そして再度ステップＳ２で、プログラマー端末２による売買プログラムの作成が行われる。また、ステップＳ３でＯＫとなった場合（Ｙｅｓ）には、ステップＳ５で作成された売買プログラムがプログラム（ＰＧ）保存データベース２５に保存される。
【００２１】
次に、ステップＳ６でバックテストが実行される。ここでは、プログラム（ＰＧ）保存データベース２５に保存された売買プログラムに従って、上述の市場情報データベース２２に記憶されたデータの売買がシミュレートされることにより、バックテストが行われる。続いて、ステップＳ７でシミュレートされた売買の結果に応じてトラックレコードが作成される。そしてステップＳ８で作成されたトラックレコードが記憶される。
【００２２】
また、ステップＳ９では、作成された売買プログラムを販売するか否か、手法の登録を行った顧客端末に問合せが行われ、販売するとき（Ｙｅｓ）は、ステップＳ１０で作成された売買プログラムが商品情報データベース２３にコピーされる。また、販売しないとき（Ｎｏ）は、ステップＳ１１で売買プログラムに閲覧制限が施されて商品情報データベース２３にコピーされる。以上のようにして、売買プログラム作成の処理が行われる。
【００２３】
これによって、例えば一の顧客が考案した新たな取引手法をプログラム化して検証を行うと共に、この新たなプログラムにより他の顧客を募集し、それにより得られる収入を考案した顧客に還元することが可能となる。また、顧客が販売を希望しないときは、該当顧客のみが閲覧可能なように閲覧制限が施される。
【００２４】
そこで、さらに図３には、図１のシステムを用いた場合の商品購入までのプロセスを説明する。すなわち図３において、顧客の所有する利用者端末装置２０１、２０２、２０３・・・から、サーバ装置１へのアクセスが行われると、最初に符号Ｐ１に示すようなメインメニューが表示される。このメインメニューＰ１には、例えば(１)「優先度診断」、(２)「ランキング検索」、(３)「ダイレクト検索」の選択肢が表示され、それぞれの選択肢がクリックされることにより、選択が行われる。
【００２５】
ここでメインメニューＰ１から(１)「優先度診断」が選択された場合には、符号Ｐ２に示すような例えばＡＨＰ（Analytic Hierarchy Process）分析のトップ画面が表示される。このＡＨＰ分析では、トップ画面Ｐ２や符号Ｐ３に示すような設問画面を用いて、いわゆる階層構造の設問を用いた分析が行われる。なお、設問画面Ｐ３は複数が設けられていてもよい。そして、これらの設問の解答から分析された優先項目の順位が、例えば符号Ｐ４に示すような結果の画面として表示される。さらに検索ボタンのクリックにより検索が行われる。
【００２６】
また、メインメニューＰ１から(２)「ランキング検索」が選択された場合には、例えば符号Ｐ５に示すような検索方法の選択画面が表示される。この選択画面Ｐ５では、例えば(１)「優先順位で選ぶ」、(２)「市場・銘柄で選ぶ」の選択肢が表示される。そして、(１)「優先順位で選ぶ」の選択肢が選択された場合には、例えば符号Ｐ６に示すような「優先順位で検索」の画面が表示される。また、(２)「市場・銘柄で選ぶ」の選択肢が選択された場合には、例えば符号Ｐ７に示すような「市場・銘柄で検索」の画面が表示される。
【００２７】
さらに「優先順位で検索」の画面Ｐ６には、例えば(１)「最優先される項目」、(２)「２番目の優先項目」、(３)「３番目の優先項目」などの選択項目が表示され、それぞれプルダウン形式で選択が行われる。また、「市場・銘柄で検索」の画面Ｐ７には、例えば(１)「投資対象市場・銘柄」、(２)「優先項目（その１）」、(３)「優先項目（その２）」などの選択項目が表示され、それぞれプルダウン形式で選択が行われる。そして検索ボタンのクリックにより検索が行われる。
【００２８】
以上の操作により、画面Ｐ４、Ｐ６、Ｐ７で検索ボタンのクリックが行われると、それぞれ設定された優先項目に従って商品の検索が行われる。そして検索された結果が符号Ｐ８の「検索結果ｂｅｓｔ５」の画面に表示される。ここで表示された商品名のクリックにより、購入しようとする商品が選択される。さらに予め購入しようとする商品が決まっている場合には、メインメニューＰ１の (３)「ダイレクト検索」で選択される「商品コード入力」の画面Ｐ９で、その商品を特定するコードが入力される。
【００２９】
そして、このような画面Ｐ８、Ｐ９において、上述の顧客が新規に考案した取引手法に従って作成された売買プログラムが、販売するとして商品情報データベース２３にコピーされていた場合には、その売買プログラムも他の商品と同等に検索の対象となる。また、売買プログラムが販売するとされていない場合にあっても、例えば顧客を識別する手段を別途設けて、画面Ｐ９において所定のコード等を入力することにより、自分の考案した取引手法に従って作成された売買プログラムを呼び出すことができる。
【００３０】
さらに、符号Ｐ１０の「トラックレコード」の画面では、選択された商品のトラックレコードが表示され、その内容に納得した場合には、「購入する」の選択肢がクリックされることにより符号Ｐ１１の「課金画面」が表示されて送金の指示が行われる。また、その他の選択を行う場合には、「ログイン」の選択肢がクリックされることにより符号Ｐ１２の「ログイン」の画面が表示されて、ＩＤやパスワードの入力が行われる。このようなプロセスで、図１のシステムを用いた場合の商品購入が行われる。
【００３１】
そしてこの商品購入が行われた場合には、購入した顧客に対しては、課金送金データベース２６に課金の登録が行われると共に、顧客が新規に考案した取引手法に従って作成された売買プログラムが購入された場合には、その購入に相当する金額の送金が課金送金データベース２６に登録される。このようにして、一の顧客が考案した新たな取引手法による売買プログラムで他の顧客を募集し、それにより得られる収入を考案した顧客に還元することが可能となる。
【００３２】
なお上述のプロセスにおいて、「検索結果ｂｅｓｔ５」の画面に表示される商品の検索は、以下のように行われる。まず、図４には、トラックレコード算出プロセスを示す。この図３において、処理が開始されると、最初のステップＳ１１で、市場情報データベース２２から所望期間のデータが抽出される。またステップＳ１２で、投資対象の値ｎと取引手法の値ｍが、数値“１”にリセットされる。
【００３３】
次に、ステップＳ１３でバックテストが実行される。ここでは、例えばアプリケーションサーバ１２に設けられている複数の商品としての売買プログラムに従って、上述の市場情報データベース２２に記憶されたデータの売買がシミュレートされることにより、バックテストが行われる。続いて、ステップＳ１４でシミュレートされた売買の結果に応じてトラックレコードが作成される。そしてステップＳ１５で作成されたトラックレコードが商品データベース２３に記憶される。
【００３４】
さらにステップＳ１６で全取引手法について処理が完了したか否か判断される。そして、完了していないとき〔ＮＯ〕はステップＳ１７で値ｍがインクリメントされてステップＳ１３に戻される。また、ステップＳ１６で処理が完了しているとき〔ＹＥＳ〕は、さらにステップＳ１８で全投資対象について処理が完了したか否か判断される。そして、完了していないとき〔ＮＯ〕はステップＳ１９で値ｎがインクリメントされてステップＳ１３に戻される。また、ステップＳ１８で処理が完了しているとき〔ＹＥＳ〕は処理が終了される。
【００３５】
そしてこのトラックレコード算出プロセスにおいて、ステップＳ１３でのバックテストの実行が以下のように行われる。すなわち図５に示す表において、Ａ〜Ｇ欄には金融市場情報供給会社のデータ記憶装置から抽出されたデータがコピーされる。ここで、Ａ欄は日付、Ｂ欄は時刻、Ｃ欄は始値、Ｄ欄は高値、Ｅ欄は安値、Ｆ欄は終値、Ｇ欄は取引高である。
【００３６】
さらにこれらのＡ〜Ｇ欄の値から、右のＨ〜Ｘ欄に示される値が、以下の式によって求められる。
H[s]=IF(AND(D[s]>MAX(D[s-10]:D[s-1]),C[s]>F[s]),"dn",IF(AND(E[s]<MIN(E[s-10]:E[s-1]),C[s]<F[s]),"up",""))
I[s]=IF(H[s]="up",D[s],IF(H[s]="dn",E[s],""))
J[s]=IF(H[s]="up",E[s],IF(H[s]="dn",D[s],""))
【００３７】
K[s]=IF(AND(H[s-1]="up",D[s]>D[s-1]),"B",IF(AND(H[s-1]="dn",E[s]<E[s-1]),"S",""))
L[s]=IF(K[s]="","",I[s-1])
M[s]=IF(K[s]="","",J[s-1])
N[s]=IF(K[s]="B",L[s]-M[s],IF(K[s]="S",M[s]-L[s],""))
O[s]=IF(K[s]="B",L[s]+N[s]*O$4,IF(K[s]="S",L[s]-N[s]*O$4,""))
【００３８】
P[s]=IF(K[s]="B",1,IF(K[s]="S",-1,SUM(P[s-1],S[s-1],U[s-1])))
Q[s]=IF(P[s-1]<>P[s],L[s],Q[s-1])
R[s]=IF(OR(K[s]="B",K[s]="S"),M[s],IF(AND(P[s-1]=P[s],P[s]<>0),R[s-1],""))
S[s]=IF(AND(P[s]=1,E[s]<R[s]),-1,IF(AND(P[s]=-1,D[s]>R[s]),1,""))
T[s]=IF(P[s-1]<>P[s],O[s],T[s-1])
U[s]=IF(AND(P[s]=1,D[s]>T[s]),-1,IF(AND(P[s]=-1,E[s]<T[s]),1,""))
【００３９】
V[s]=IF(S[s]<>"",(R[s]-Q[s])*P[s],"")
W[s]=IF(U[s]<>"",(T[s]-Q[s])*P[s],"")
X[s]=IF(AND(P[s-1]+P[s]=0,P[s]<>0),(Q[s]-Q[s-1])*P[s-1],"")
【００４０】
すなわち上述の図４において、Ｈ〜Ｕ欄は、任意の売買プログラムに従ったものであり、ここでは以下の条件に従って売買が行われている。
◎「売り」の取引開始条件
区間ｔの高値が直近の過去１０区間の最高値より高いにもかかわらず、
区間ｔの終値は始値を下回り、
次の区間、つまり区間(t＋1)で区間ｔの安値を下回った場合
【００４１】
◎「売り」の取引終了条件
１．区間ｔの安値を基準に、区間ｔの値幅分（高値−安値）下落した場合
２．区間ｔの高値を上回った場合
３．上記１または２を満たす前に、「買い」の取引開始条件が満たされた場合
【００４２】
◎「買い」の取引開始条件
区間ｔの安値が直近の過去１０区間の最安値より低いにもかかわらず、
区間ｔの終値は始値を上回り、
次の区間、つまり区間(t＋1)で区間ｔの高値を上回ったら、区間ｔの高値で「買い」
【００４３】
◎「買い」の取引終了条件
１．区間ｔの高値を基準に、区間ｔの値幅分（高値−安値）上昇した場合
２．区間ｔの安値を下回った場合
３．上記１または２を満たす前に、「売り」の取引開始条件が満たされた場合
【００４４】
これにより、例えば
◎Ｈ欄で「dn」が表示される条件
１．その区間の高値が直近の過去１０区間の最高値より高い
２．その区間の終値が始値を下回っている
【００４５】
◎Ｈ欄で「up」が表示される条件
１．その区間の安値が直近の過去１０区間の最安値より安い
２．その区間の終値が始値を上回っている
となるものである。
【００４６】
さらにこれらのＨ〜Ｕ欄の算出結果から、Ｖ〜Ｘ欄に示すトラックレコードが作成される。また、作成されたトラックレコードは、例えば図６に示すような形態で、商品情報データベース２３に記憶される。なおこの図６では、各種の投資対象に対して、それぞれ複数の取引手法でシミュレートされた結果が示されている。そして、このようにして商品情報データベース２３に記憶されたトラックレコードは、要求に応じて顧客の所有する利用者端末装置２０１、２０１、２０２を通じて、顧客に提示される。
【００４７】
なお、図７には、図３に示した「トラックレコード」の画面Ｐ１０の具体例を示す。この図７においては、選択された商品のトラックレコードの概要が表示されている。そして画面の下部には、図３に示した「購入する」の選択肢に相当する「この商品を購入する」のボタンが設けられると共に、例えば「詳細な結果を表示する」や「検索結果に戻る」「メインメニューに戻る」のボタンが設けられる。また、画面の上部には、「チャート表示する」のボタンが設けられている。
【００４８】
そして「詳細な結果を表示する」のボタンがクリックされた場合には、例えば図８に示すようなトラックレコードの詳細が表示される。また、「チャート表示する」のボタンがクリックされた場合には、例えば図９に示すようなチャートが表示される。このようにして顧客は、各種の詳細な情報を診ることができる。
【００４９】
従ってこの実施形態において、市場情報ベースから任意の期間のデータを抽出し、抽出されたデータに基づいて複数の商品としての売買プログラムに従った売買をシミュレートし、シミュレートされた売買の損益結果からトラックレコードを作成すると共に、顧客のニーズに応じてトラックレコードの所定の項目をソートして売買プログラムの順位を決定し、決定された順位に従って複数の売買プログラムによるトラックレコードを顧客に提示するようにしたことによって、顧客のニーズに合わせた選択が行われると共に、顧客はトラックレコードから所望の項目を確認することができる。
【００５０】
こうして上述の市場取引支援システムによれば、情報の入出力手段を有する端末装置と各種市場の情報が記憶されている外部データベースとがネットワークを通じて接続されたサーバ装置を用い、サーバ装置には、端末装置を所有する顧客の情報を蓄積した顧客情報蓄積手段と、端末装置からの第１の顧客が考案した取引手法を登録する取引手法登録手段と、登録された取引手法に従って作成された売買プログラムを保存する売買プログラム保存手段と、保存された売買プログラムに関する情報をネットワークを通じて提示して第２の顧客を募集する顧客募集手段と、外部データベースから取り出される市場の情報を蓄積する市場情報蓄積手段と、募集に呼応する端末装置からの第２の顧客による応募に基づいて市場情報蓄積手段から任意の期間の市場の情報を抽出し、抽出された市場の情報に基づいて売買プログラムに従った売買をシミュレートし、シミュレートされた売買の損益結果からトラックレコードを作成し、作成されたトラックレコードを第２の顧客の端末装置に送信する演算処理及び送信手段と、端末装置からの第２の顧客による応募に対する課金を行う課金手段と、課金による収入を第１の顧客に送金する送金手段とが設けられることにより、例えば一の顧客が考案した新たな取引手法をプログラム化して検証を行うと共に、この新たなプログラムにより他の顧客を募集し、それにより得られる収入を考案した顧客に還元し、これによって、一般顧客による市場取引を支援し、また市場取引の多様化を図ることで、市場取引の活性化をも推進することができるものである。
【００５１】
また、上述の市場取引支援装置によれば、情報の入出力手段を有する端末装置と各種市場の情報が記憶されている外部データベースとがネットワークを通じて接続され、ネットワークを通じて接続される端末装置を所有する顧客の情報を蓄積した顧客情報蓄積手段とネットワークを通じて接続される外部データベースから取り出される市場の情報を蓄積する市場情報蓄積手段とが設けられ、端末装置からの第１の顧客が考案した取引手法を登録する取引手法登録手段と、登録された取引手法に従って作成された売買プログラムを保存する売買プログラム保存手段と、保存された売買プログラムに関する情報をネットワークを通じて提示して第２の顧客を募集する顧客募集手段と、募集に呼応する端末装置からの第２の顧客による応募に基づいて市場情報蓄積手段から任意の期間の市場の情報を抽出し、抽出された市場の情報に基づいて売買プログラムに従った売買をシミュレートし、シミュレートされた売買の損益結果からトラックレコードを作成し、作成されたトラックレコードを第２の顧客の端末装置に送信する演算処理及び送信手段と、端末装置からの第２の顧客による応募に対する課金を行う課金手段と、課金による収入を第１の顧客に送金する送金手段とを有することにより、例えば一の顧客が考案した新たな取引手法をプログラム化して検証を行うと共に、この新たなプログラムにより他の顧客を募集し、それにより得られる収入を考案した顧客に還元し、これによって、一般顧客による市場取引を支援し、また市場取引の多様化を図ることで、市場取引の活性化をも推進することができるものである。
【００５２】
さらに上述の市場取引支援方法によれば、情報の入出力手段を有する端末装置と各種市場の情報が記憶されている外部データベースとサーバ装置とがネットワークを通じて接続されたシステムに適用され、端末装置からの第１の顧客が考案した取引手法を登録する手順と、登録された取引手法に従って作成された売買プログラムを保存する手順と、保存された売買プログラムに関する情報をネットワークを通じて提示して第２の顧客を募集する手順と、募集に呼応する端末装置からの第２の顧客による応募に基づいて外部データベースから任意の期間の市場の情報を抽出し、抽出された市場の情報に基づいて売買プログラムに従った売買をシミュレートし、シミュレートされた売買の損益結果からトラックレコードを作成し、作成されたトラックレコードを第２の顧客の端末装置に送信する手順と、端末装置からの第２の顧客による応募に対する課金を行う手順と、課金による収入を第１の顧客に送金する手順とを有することにより、例えば一の顧客が考案した新たな取引手法をプログラム化して検証を行うと共に、この新たなプログラムにより他の顧客を募集し、それにより得られる収入を考案した顧客に還元し、これによって、一般顧客による市場取引を支援し、また市場取引の多様化を図ることで、市場取引の活性化をも推進することができるものである。
【００５３】
また、上述の市場取引支援プログラムによれば、情報の入出力手段を有する端末装置と各種市場の情報が記憶されている外部データベースとがネットワークを通じてサーバ装置に接続されたシステムに用いられ、端末装置からの第１の顧客が考案した取引手法を登録する機能と、登録された取引手法に従って作成された売買プログラムを保存する機能と、保存された売買プログラムに関する情報をネットワークを通じて提示して第２の顧客を募集する機能と、募集に呼応する端末装置からの第２の顧客による応募に基づいて外部データベースから任意の期間の市場の情報を抽出し、抽出された市場の情報に基づいて売買プログラムに従った売買をシミュレートし、シミュレートされた売買の損益結果からトラックレコードを作成し、作成されたトラックレコードを第２の顧客の端末装置に送信する機能と、端末装置からの第２の顧客による応募に対する課金を行う機能と、課金による収入を第１の顧客に送金する機能とをサーバ装置で実現させることにより、例えば一の顧客が考案した新たな取引手法をプログラム化して検証を行うと共に、この新たなプログラムにより他の顧客を募集し、それにより得られる収入を考案した顧客に還元し、これによって、一般顧客による市場取引を支援し、また市場取引の多様化を図ることで、市場取引の活性化をも推進することができるものである。
【００５４】
なお本発明は、上述の説明した実施形態に限定されるものではなく、本発明の精神を逸脱することなく種々の変形が可能とされるものである。
【図面の簡単な説明】
【００５５】
【図１】本発明による市場取引支援システム、装置、方法及びプログラムを適用した市場取引支援システムの一実施形態の全体を示す構成図である。
【図２】その動作の説明のためのフローチャート図である。
【図３】その動作の説明のための図である。
【図４】そのトラックレコード算出プロセスを示すフローチャート図である。
【図５】その説明のための図である。
【図６】その説明のための図である。
【図７】その説明のための図である。
【図８】その説明のための図である。
【図９】その説明のための図である。
【符号の説明】
【００５６】
１００…情報通信ネットワーク、２０１，２０２，２０３…利用者端末装置、３００…市場データ供給会社サーバ、３０１…外部データベース、４００…金融機関サーバ、１…サーバ装置、２…プログラマー端末、１１…ウェブサーバ、１２…アプリケーションサーバ、１３…データベースサーバ、２１…顧客情報データベース、２２…市場情報データベース、２３…商品情報データベース、２４…手法登録データベース、２５…プログラム保存データベース、２６…課金送金データベース
【図１】
2006350455.tif 000003
【図２】
2006350455.tif 000004
【図３】
2006350455.tif 000005
【図４】
2006350455.tif 000006
【図５】
2006350455.tif 000007
【図６】
2006350455.tif 000008
【図７】
2006350455.tif 000009
【図８】
2006350455.tif 000010
【図９】
2006350455.tif 000011